(57)【要約】【課題】  長尺材の一端を差し込むことでの破壊行為を効果的に防止する精算機を提供する。【解決手段】  コイン投入機２０は、投入口２２と面一となる正面板２１は、正面パネル１１から奥行き部２３に囲まれて位置している。紙幣出し入れ機３０もまた、精精算機１０（１０Ａ）の正面パネル１１よりも奥まった位置に凹部を形成する。紙幣やクレジットカードの投入口３２をその凹部内に位置させるため、投入口３２と面一となる正面板３１は、正面パネル１１から奥行き部３３に囲まれて位置している。【選択図】  図７
2019040396.tif 000002
【特許請求の範囲】
【請求項１】
精算機のユーザが料金を精算する際に投入する貨幣を受け入れる貨幣投入ユニットであって、
前記の精算機において前記のユーザと向き合う正面を形成する正面パネルに対して当該ユーザから遠ざかる方向へ凹む凹部を形成する凹部形成部材と、
その凹部形成部材における正面パネルから遠い部分へ投入口を位置させた貨幣受け入れ機と、
を備え、
前記の凹部形成部材には、前記の投入口と前記の凹部とを連通させる連通孔を備えた貨幣投入ユニット。
【請求項２】
精算機のユーザが料金を精算する際に投入する貨幣を受け入れる貨幣投入ユニットであって、
前記の精算機において前記のユーザと向き合う正面を形成する正面パネルに対して当該ユーザから遠ざかる方向へ凹む凹部を形成する凹部形成部材と、
その凹部形成部材に対して凹部側へ突出した位置まで投入口を位置させた貨幣受け入れ機と、
その貨幣受け入れ機における前記の投入口を覆うとともに前記の凹部へ収まる凹部対応カバー部材と、
を備え、
その凹部対応カバー部材には、前記の投入口に連通する連通孔を備えた貨幣投入ユニット。
【請求項３】
前記の凹部対応カバー部材における連通孔が、前記の精算機における正面パネルと面一となるように貨幣受け入れ機における前記の投入口を配置した
請求項２に記載の貨幣投入ユニット。
【請求項４】
前記の凹部対応カバー部材における連通孔が、前記の精算機における正面パネルのなす面よりも前記の貨幣受け入れ機側に位置するように前記の投入口を配置した
請求項２に記載の貨幣投入ユニット。
【請求項５】
前記の凹部形成部材を振動させる振動発生機を備えた
請求項１から請求項４のいずれかに記載の貨幣投入ユニット。
【請求項６】
ユーザが料金を精算する際に投入する貨幣を受け入れる貨幣投入ユニットを備えた精算機であって、
その精算機は、
前記のユーザと向き合う正面に正面パネルと、
その正面パネルに対して当該ユーザから遠ざかる方向へ凹む凹部と、を備え、
前記の貨幣投入ユニットは、
前記の凹部を形成する凹部形成部材と、
その凹部形成部材における正面パネルから遠い部分へ投入口を位置させた貨幣受け入れ機と、を備え、
前記の凹部形成部材には、前記の投入口(32)と前記の凹部とを連通させる連通孔を備えた精算機。
【請求項７】
ユーザが料金を精算する際に投入する貨幣を受け入れる貨幣投入ユニットを備えた精算機であって、
その精算機は、
前記のユーザと向き合う正面に正面パネルと、
その正面パネルに対して当該ユーザから遠ざかる方向へ凹む凹部と、を備え、
前記の貨幣投入ユニットは、
前記の凹部を形成する凹部形成部材と、
その凹部形成部材における正面パネルから遠い部分へ投入口を位置させた貨幣受け入れ機と、
その貨幣受け入れ機における前記の投入口を覆うとともに前記の凹部へ収まる凹部対応カバー部材と、
を備え、
その凹部対応カバー部材には、前記の投入口に連通する連通孔を備えた精算機。
【請求項８】
前記の凹部対応カバー部材における連通孔が、前記の精算機における正面パネルと面一となるように貨幣受け入れ機における前記の投入口を配置した請求項７に記載の精算機。
【請求項９】
前記の凹部対応カバー部材における連通孔が、前記の精算機における正面パネルのなす面よりも前記の貨幣受け入れ機側に位置するように前記の投入口を配置した請求項７に記載の精算機。
【請求項１０】
前記の凹部形成部材を振動させる振動発生機を備えた請求項６から請求項９のいずれかに記載の精算機。
【発明の詳細な説明】
【技術分野】
【０００１】
本発明は、例えばコンビニエンスストアやデパートメントストアなどの店舗の料金支払い装置、自動販売機、自動券売機、入退室管理装置、および駐車料金の集中精算機や事前料金精算機などに適用して好適な貨幣投入ユニット等に関する。
特に、紙幣や硬貨などの現金を投入するユニットにおいて、破壊行為に強い貨幣投入ユニットおよび料金精算装置に関する。
【背景技術】
【０００２】
今日においては、いわゆる「近傍型」の非接触ＩＣカードが知られている。その「近傍型」の非接触ＩＣカードは、ＩＳＯ１４４４３（ISO：International Organization for Standardization）の国際標準規格に準拠して動作する通信距離が１０ｃｍ程度である。その「近傍型」の非接触ＩＣカードは、マイフェアカード（Mifare：登録商標）に代表されるタイプＡ（ＴｙｐｅＡ）、住民基本台帳カードやデジタルチケットに代表されるタイプＢ（ＴｙｐｅＢ）に分類されている。
我が国で広く普及しているフェリカカード（Felica：登録商標）、スイカカード（Suica：登録商標）、エディカード（Ｅｄｙ：登録商標）は、「近傍型」の非接触ＩＣカードとなっており、便宜上、タイプＣ（ＴｙｐｅＣ）に分類されている。
【０００３】
前述したようなタイプＡ，タイプＢ，タイプＣの各非接触ＩＣカードは、キャリア周波数が１３．５６ＭＨｚで共通であり、変調方式や符号化方式などが異なるものの、金銭取引の簡易決済の手法として定着している。
そのため、キャッシュレス化が進行し、財務局における硬貨発行数も減少傾向にある。
【０００４】
しかし、紙幣や硬貨（コイン）などの現金による自動販売機、精算機などがなくなることは今のところない。現金のみを受け付けていた自動販売機、精算機が、ＩＣカードと現金との併用が可能な自動販売機、精算機に置き換わりつつある。
【０００５】
一方、無人で現金を蓄積している自動販売機、精算機は、常に犯罪の危険にさらされている。そのため、防犯カメラを設置するなど、犯罪の未然防止などの技術が自動販売機、精算機には導入されている。
【０００６】
たとえば、特許文献１では、紙幣挿入口から紙幣識別装置へのアクセス通路を遮断して紙幣の盗難を防止可能な自動販売機が開示されている。
また、特許文献２では、防盗性に優れ且つデザイン性を追求可能な低コストの自動販売機が開示されている。
【先行技術文献】
【特許文献】
【０００７】
【特許文献１】特開２００８−１５２４０７号公報
【特許文献２】特開２００６−２７７３８１号公報
【発明の概要】
【発明が解決しようとする課題】
【０００８】
さて、自動販売機等に対する破壊行為によって現金が強奪される犯罪がどのように行われているか、については、概ね以下のような場合が多い。
すなわち、紙幣投入口または硬貨投入口へバールのような長尺材の一端を差し込み、梃子（てこ）の原理にて紙幣投入口または硬貨投入口の前面部分を破壊するのである。
【０００９】
特許文献１，２に開示された技術は、前述のような破壊行為に対して効果的な構造を備えているとは言い難い。
【００１０】
本発明が解決しようとする課題は、長尺材の一端を差し込むことでの破壊行為を効果的に防止する構造を備えた貨幣投入ユニットおよび料金精算装置を提供することにある。
【課題を解決するための手段】
【００１１】
（第一の発明）
本願における第一の発明は、精算機(10)のユーザが料金を精算する際に投入する貨幣を受け入れる貨幣投入ユニットに係る。
その貨幣投入ユニットは、前記の精算機(10)において前記のユーザと向き合う正面を形成する正面パネル(11)に対して当該ユーザから遠ざかる方向へ凹む凹部を形成する凹部形成部材と、  その凹部形成部材における正面パネル(11)から遠い部分へ投入口(32)を位置させた貨幣受け入れ機(30,20)と、を備える。
そして、前記の凹部形成部材には、前記の投入口(32)と前記の凹部とを連通させる連通孔を備えた貨幣投入ユニットである。
【００１２】
（用語説明）
「精算機(10)」とは、サービスを提供される（またはされた）ことに対する対価を精算するための精算機、たとえば駐車料金の精算機、公共交通機関を利用する際のチケット購入のための券売機、飲食物や玩具などの物販を担う自動販売機、などを含む。
「貨幣受け入れ機(30,20)」とは、紙幣投入機(30)、コイン投入機(20)、クレジットカードなどのカード類投入機などである。
「凹部形成部材」は、金属、強化樹脂など、破損しにくい部材で形成されている。防犯性能を向上させるためである。
【００１３】
（作用）
バールなどの長尺材を用いて梃子（てこ）の原理を使うことで貨幣受け入れ機(30,20)を破損させて貨幣を強奪しようとする者がいたとする。しかし、凹部形成部材の存在によって、梃子の原理が使えず、梃子（てこ）の中心からの可動角度も狭められ、破壊させるのは困難である。そのため、破壊を免れやすくなる。
精算機(10)のユーザが料金を精算する際には、凹部形成部材が形成する凹部の奥へ紙幣または硬貨を投入する。
精算機(10)が屋外へ設置されている場合、凹部の存在により、貨幣受け入れ機(30,20)の投入口(32)が雨の影響を受けにくい。
【００１４】
（第二の発明）
第二の発明もまた、  精算機(10)のユーザが料金を精算する際に投入する貨幣を受け入れる貨幣投入ユニットに係る。
この貨幣投入ユニットは、前記の精算機(10)において前記のユーザと向き合う正面を形成する正面パネル(11)に対して当該ユーザから遠ざかる方向へ凹む凹部を形成する凹部形成部材と、
その凹部形成部材に対して凹部側へ突出した位置まで投入口(32)を位置させた貨幣受け入れ機(30,20)と、
その貨幣受け入れ機(30,20)における前記の投入口(32)を覆うとともに前記の凹部へ収まる凹部対応カバー部材(33)と、
を備える。
そして、その凹部対応カバー部材(33)には、前記の投入口(32)に連通する連通孔（投入口35A）を備えることとした貨幣投入ユニットである。
【００１５】
（用語説明）
「凹部対応カバー部材(33)」は、「凹部形成部材」と同様、金属や強化樹脂など、破損しにくい部材で形成されている。防犯性能を向上させるためである。
【００１６】
（作用）
貨幣受け入れ機(30,20)を破損させて貨幣を強奪しようとする者がいたとする。しかし、凹部形成部材および凹部対応カバー部材(33)の存在によって貨幣受け入れ機(30,20)が守られているため、破壊させるのは困難である。そのため、破壊を免れやすくなる。
【００１７】
（第二の発明のバリエーション１）
第二の発明に係る貨幣投入ユニットは、以下のように形成してもよい。
すなわち、前記の凹部対応カバー部材(33)における連通孔（投入口35A）が、前記の精算機(10)における正面パネル(11)と面一となるように貨幣受け入れ機(30,20)における前記の投入口(32)を配置するのである。
【００１８】
（作用）
破壊を免れやすい一方、凹部対応カバー部材(33)における連通孔（投入口35A）が、前記の精算機(10)における正面パネル(11)と面一なので、従来の精算機と同様の使い勝手となる。
【００１９】
（第二の発明のバリエーション２）
第二の発明に係る貨幣投入ユニットは、以下のように形成してもよい。
すなわち、前記の凹部対応カバー部材(33)における連通孔（投入口35A）が、前記の精算機(10)における正面パネル(11)のなす面よりも前記の貨幣受け入れ機(30,20)側に位置するように前記の投入口(32)を配置するのである。
【００２０】
（作用）
破壊を免れやすいのみならず、凹部も形成されているため、精算機(10)が屋外へ設置されていても、貨幣受け入れ機(30,20)の投入口(32)が雨の影響を受けにくい。
【００２１】
（第一および第二の発明のバリエーション）
第一および第二の発明においては、前記の凹部形成部材を振動させる振動発生機(60)を備えることとすると、より好ましい。
ここで、「振動発生機(60)」とは、精算機(10)が屋外へ設置されている場合に、貨幣受け入れ機(30,20)の投入口(32)へ雨水が達しないように、水滴をふるわせて落とす、という役割を担う。または、精算機(10)に破壊行為を仕掛けようとする者に対する警告の意味合いで、凹部形成部材の付近を中心に振動させる、という役割を担っても良い。
具体的な振動発生機(60)としては、たとえば、偏心モータなどを組み込んだ専用機を備える場合の他、精算機(10)が清涼飲料の自動販売機である場合には、清涼飲料を冷やすために用いているコンプレッサが発生させる振動を伝えるような機構でもよい。
【００２２】
（第三の発明）
第三の発明は、第一の発明に係る貨幣投入ユニットを備えた精算機に係る。
すなわち、  その精算機(10)は、  前記のユーザと向き合う正面に正面パネル(11)と、  その正面パネル(11)に対して当該ユーザから遠ざかる方向へ凹む凹部と、を備える。
また、その貨幣投入ユニットは、    前記の凹部を形成する凹部形成部材と、    その凹部形成部材における正面パネル(11)から遠い部分へ投入口(32)を位置させた貨幣受け入れ機(30,20)と、を備える。
そして、前記の凹部形成部材には、前記の投入口(32)と前記の凹部とを連通させる連通孔を備えた精算機とする。
【００２３】
（第四の発明）
第四の発明は、第二の発明に係る貨幣投入ユニットを備えた精算機に係る。
すなわち、  その精算機(10)は、前記のユーザと向き合う正面に正面パネル(11)と、  その正面パネル(11)に対して当該ユーザから遠ざかる方向へ凹む凹部と、を備える。
前記の貨幣投入ユニットは、  前記の凹部を形成する凹部形成部材と、    その凹部形成部材における正面パネル(11)から遠い部分へ投入口(32)を位置させた貨幣受け入れ機(30,20)と、  その貨幣受け入れ機(30,20)における前記の投入口(32)を覆うとともに前記の凹部へ収まる凹部対応カバー部材(33)と、を備える。
そして、その凹部対応カバー部材(33)には、前記の投入口(32)に連通する連通孔（投入口35A）を備えた精算機とする。
【００２４】
（第四の発明のバリエーション）
第四の発明は、第二の発明に係るバリエーションと同じく、以下のように形成してもよい。
すなわち、前記の凹部対応カバー部材(33)における連通孔（投入口35A）が、前記の精算機(10)における正面パネル(11)と面一となるように貨幣受け入れ機(30,20)における前記の投入口(32)を配置することとしてもよい。
また、前記の凹部対応カバー部材(33)における連通孔（投入口35A）が、前記の精算機(10)における正面パネル(11)のなす面よりも前記の貨幣受け入れ機(30,20)側に位置するように前記の投入口(32)を配置することとしてもよい。
【００２５】
（第三および第四の発明のバリエーション）
第三および第四の発明に係る精算機には、前記の凹部形成部材を振動させる振動発生機(60)を備えることとすると、より好ましい。
【発明の効果】
【００２６】
第一の発明および第二の発明によれば、長尺材の一端を差し込むことでの破壊行為を効果的に防止する構造を備えた貨幣投入ユニットを提供することができた。
第三の発明および第四の発明によれば、長尺材の一端を差し込むことでの破壊行為を効果的に防止する構造を備えた貨幣投入ユニットを備えた精算機を提供することができた。
【図面の簡単な説明】
【００２７】
【図１】第一の実施形態を示す斜視図である。
【図２】第一の実施形態における主要部を示す斜視図である。
【図３】第一の実施形態によって読み込まれる対象（およびその読み取り面）を示す斜視図である。
【図４】第二の実施形態を示す斜視図である。
【図５】第二の実施形態における主要部を示す斜視図である。
【図６】第二の実施形態における主要部のバリエーションを示す斜視図である。
【図７】第一の実施形態における別の主要部を示す斜視図である。
【図８】第三の実施形態に係る精算機を示す斜視図である。
【図９】読み込まれる対象（カード類）の固定構造の概念を示す斜視図である。
【図１０】読み込まれる対象（カード類）の固定構造の概念を示す斜視図である。
【図１１】第一または第二の実施形態に係る精算機を多数管理する場合を示す概念図である。
【図１２】従来技術とそれに対する破壊行為の概要を示す概念図である。
【図１３】第一の実施形態にて示した主要部の縦断面図である。
【図１４】破壊行為に対応する構造に関するバリエーションを示す縦断面図である。
【図１５】破壊行為に対応する構造に関するバリエーションを示す縦断面図である。
【図１６】図１４および１５に示したバリエーションとそれに対する破壊行為の概要を示す縦断面図である。
【図１７】凹部形成部材の形状バリエーションを示す斜視図である。
【発明を実施するための形態】
【００２８】
以下、本発明を実施形態および図面に基づいてさらに詳しく説明する。
図１から図３は第一の実施形態、図４から図６は第二の実施形態を示す。また、図７は第一の実施形態における別の主要部を示し、図８は、第三の実施形態を示し、図１１は第一または第二の実施形態に係る精算機を多数管理する場合を示す。図９および図１０は、読み込まれる対象（カード類）の固定構造の概念を示す斜視図である。
【００２９】
図１に示す第一の実施形態は、駐車場を利用したユーザが駐車料金を精算するための精算機１０であり、押し当てリーダユニット装着型の精算機１０Ａである。
この精算機１０（１０Ａ）は、縦長の直方体形状をなし、ユーザに向かう面となる正面パネル１１には、さまざまな機器がユーザの操作に供するように備えられている。
【００３０】
正面パネル１１には、上から順に、ユーザへの指示など画面出力する表示パネル１２、駐車券などのチケットを排出するチケット排出機１３、ユーザが精算のために投入するコインを受け入れるコイン投入機２０、ユーザが精算のために紙幣やクレジットカードを投入したり釣り札またはクレジットカードを受け取ったりする紙幣出入機３０、駐車料金の精算に必要な読み取り対象を読み取るためのカードリーダ４０、つり銭としてのコインや受け入れできないコインが排出されるコイン返却口１４、が備えられている。
「読み取り対象」とは、紙や樹脂シートなどへ印字または刻印された文字や数字のあるチケット（たとえば、新幹線の乗車チケット、駐車場の駐車券など）、樹脂カードへ番号や記号を刻印された各種カード（クレジットカード、会員カードなど）、携帯情報端末（たとえばスマートフォン）の液晶画面である。
【００３１】
カードリーダ４０は、読み取り対象の印字や数字を光学読み取りするための光学機器であるが、ＩＣカードとの短距離通信をする機器も兼ねていることとしてもよい。
このカードリーダ４０は、リーダユニット４０Ａとして、図２および図３を用いて詳述する。
【００３２】
リーダユニット４０Ａは、ユーザが指で掴んだ状態（図３参照）の読み取り対象５０を光学読み取りする機器である。
図２に示すように、光源およびイメージセンサを備えたスキャナ装置４１と、そのスキャナ装置４１からユーザ側に位置して前記のスキャナ装置４１の光源から発せられる光を透過させる透過板４２と、を備える。
その透過板４２におけるユーザ側の面を読み取り対象５０の読み取り面が接する読み取り対象接触面とし、
読み取り対象５０を摘んだユーザの指が前記の読み取り対象接触面よりも前記のスキャナ装置４１側へ位置させることができる指用凹部４３，４４を備えている。
【００３３】
図２（ａ）は、図１におけるカードリーダを拡大した図である。図２（ｂ）は、ユーザが読み取り対象５０を右手の親指および他の指を使って摘んだ状態で、読み取り対象となる印字された面を透過板４２へ押し当てた状態を示す。図２（ｃ）は、ユーザが読み取り対象５０を左手の親指および他の指を使って摘んだ状態で、読み取り対象となる印字された面を透過板４２へ押し当てた状態を示す。
ユーザが右手の指を使って読み取り対象５０を摘んだ場合には、指用凹部４３が親指以外の指に対応する。ユーザが左手の指を使って読み取り対象５０を摘んだ場合には、指用凹部４４が親指以外の指に対応する。
【００３４】
ユーザが左右のいずれの手を使って読み取り対象５０を読み取り面へ押し当てても、スキャナ装置４１による読み取り対象５０の光学読み取りの距離が概ね一定となる。そのため、読み取り対象５０を光学読み取りしたことで得るデータの解析精度を一定に保ちやすくなり、ＯＣＲソフトウェア処理の精度を向上させることに寄与する。
【００３５】
図３に示す読み取り対象５０は、東海道新幹線の乗車チケットである。このチケットに印字されている乗車年月日、乗車駅、降車駅といった情報を、前述したリーダユニット４０Ａが読み取る。読み取った情報にて、新幹線の利用履歴と駐車場利用との組み合わせ状態を判断し、駐車料金に対する割引制度の適用の有無とともに、駐車料金の精算金額を表示パネル１１（図１参照）へ出力する。
その表示パネル１１へ出力された駐車料金を、ユーザは紙幣やコインを使って精算することとなる。
【００３６】
このリーダユニット４０Ａおよびリーダユニット４０Ａが組み込まれた精算機１０Ａであれば、電子データを直接読み込むことができないチケット、証明書類などへ印字された情報を読み込んで、各種の割引制度などへ対応できる精算機となる。
その結果、交通系電子マネー（ＩＣカード）から乗降記録データが提供されなくなっても、パーク＆ライドのサービス運用が可能となる。
【００３７】
図４から図６を用いて、第二の実施形態を説明する。
図４に示す精算機は、収納リーダユニット装着型の精算機１０Ｂである。
第一の実施形態との相違点は、第一の実施形態にて採用されていたリーダユニット４０Ａの代わりに、別のリーダユニット４０Ｂを採用した点である。
このリーダユニット４０Ｂは、精算機１０Ｂの前に立ったユーザからは、読み取り対象５０を収納するための収納部材４５およびその収納部材４５が形成した収納空間４５Ａしか見えない。
以下、リーダユニット４０Ｂについて、図５および図６を用いて説明する。
【００３８】
リーダユニット４０Ｂは、ユーザが指で掴んだ読み取り対象５０を一時的に収納する収納空間４５Ａを形成する収納部材４５と、その収納部材４５における収納空間４５Ａへ収納された読み取り対象５０の読み取り面を読み取る光源およびイメージセンサを備えたスキャナ装置４１と、を備えている。
図５（ａ）では、読み取り対象５０が無い状態を、図５（ｂ）では、読み取り対象５０をユーザが右手で摘んだ状態を、それぞれ示している。
収納部材４５は、先細りとなる台形形状となる収納空間４５Ａを形成する箱状体であり、開口部分が精算機１０Ｂの正面パネル１１と面一となる（図４参照）。
なお、収納空間４５Ａの開口上側をなす開口上部４５Ｂは、開口下側をなす開口下部４５Ｃよりも若干手前側へ位置するような構造を採用した場合、精算機１０Ｂを屋外に設置した際、収納空間４５Ａへ雨水が入りにくくなる。
【００３９】
精算機１０Ｂの内部において、前記の収納部材４５の上方に位置させている。
前記の収納部材４５には、スキャナ装置４１は、前記の読み取り対象５０を所定位置へ固定するための固定構造を備える。スキャナ装置４１が収納部材４５の上部に位置しているので、読み取り対象５０は、読み取り面が上となるようにユーザが挿入しなければならない。その旨は、表示パネル１１や収納部材４５における開口付近に文字やピクトグラムなどで、ユーザに指示を出している。
【００４０】
図６では、収納部材４５の下面に、２種類のサイズ（便宜上、小サイズ、大サイズの２種類とする）である読み取り対象５０に合わせた固定構造を備えている（図６（ａ）参照）。
小サイズの読み取り対象５０に合わせた固定構造を小サイズ用溝４６、大サイズの読み取り対象５０に合わせた固定構造を大サイズ用溝４７とする。
図６（ｂ）では、ユーザが大サイズの読み取り対象５０を右手に持って収納空間４５Ａへ挿入している様子を示している。固定構造（大サイズ用溝４７）が存在するので、読み取り面の読み取りにおいてデータの解析精度を一定に保ちやすくなり、ＯＣＲソフトウェア処理の精度を向上させることに寄与する。
【００４１】
（図７）
図７に示すのは、第一の実施形態における別の主要部である。別の主要部とは、コイン投入機２０および紙幣出し入れ機３０である。
コイン投入機２０は、図７（ｂ）に示すように、精算算機１０（１０Ａ）の正面パネル１１よりも奥まった位置に、コインの投入口２２を位置させている。すなわち、投入口２２と面一となる正面板２１は、正面パネル１１から奥行き部２３に囲まれて位置している。
紙幣出し入れ機３０もまた、図７（ｃ）に示すように、精精算機１０（１０Ａ）の正面パネル１１よりも奥まった位置に、紙幣やクレジットカードの投入口３２を位置させている。すなわち、投入口３２と面一となる正面板３１は、正面パネル１１から奥行き部３３に囲まれて位置している。
【００４２】
コイン投入機２０および紙幣出し入れ機３０がそれぞれ奥行き部２３，３３を備えていることによって、図７（ｄ）および（ｅ）に示すような精算機を破壊しようという行為に対して効果的である。すなわち、精算機を破壊しようという行為の最も典型的なのは、バール（の先端）を投入口２２へ差し込み、正面パネル１１の側端（精算機１０の角部）を梃子（てこ）の中心として投入口２２から破壊しようというものである。
しかし、コイン投入機２０および紙幣出し入れ機３０にそれぞれ奥行き部２３，３３が存在することで、梃子の原理が使えず、梃子（てこ）の中心からの可動角度も狭められるので、破壊を免れやすくなる。
【００４３】
なお、奥行き部２３の寸法は、１０ミリメートルから３０ミリメートルが効果的であった。奥行き部３３の寸法は、５ミリメートルから２５ミリメートルが効果的であった。奥行き寸法は大きいほど、破壊行為に対しては強いが、ユーザが使いにくくなってしまうためである。
【００４４】
図８は、第三の実施形態に係る精算機、すなわち、図７を用いて説明した奥行き部２３，３３のあるコイン投入機２０および紙幣出し入れ機３０とした精算機を示す斜視図である。
コイン投入機２０および紙幣出し入れ機３０という現金をユーザが入れることを前提とした自動販売機１０Ｃを、前述した破壊行為の被害に遭いにくい状態とすることに寄与する。
【００４５】
（図９）
図９は、読み取り対象５０であるカード類の固定構造の実施例を示す斜視図である。
読み取り対象５０の長手方向寸法に対応した奥行き方向ガイド４５Ｂと、および当該読み取り対象５０の短い方向寸法の間隔で配置固定された二つの横方向ガイド４８Ａ，４８Ａとを収納空間４５Ａにおいて固定する。読み取り対象５０は、収納空間４５Ａの水平面へ載置することを前提とすることで垂直方向は固定される。以上によって、読み取り対象５０の固定構造を形成するのである。
【００４６】
なお、前記の長手方向と短い方向とを逆に配置した固定構造を採用しても良い。この場合、奥行き寸法が小さくなり、収納空間４５Ａの奥行き方向寸法、ひいては、精算機１０の奥行き寸法を小さくすることができる、というメリットがある。
【００４７】
（図１０）
図１０もまた、読み取り対象５０であるカード類の固定構造の実施例を示す斜視図である。
図９の固定構造と異なる点は、長手方向と短い方向とを逆に配置した点、および奥行き方向ガイド４５Ｂを省略した点である。
奥行き方向ガイド４５Ｂを省略したことによって奥行き方向の固定位置が決まらないこととなってしまう。しかし、図１０（ｂ）に示すように、スキャナ装置４１を奥行き方向の自動的な移動が可能となる機能を加えることで、読み取り対象(50)における読み取り面を、結果として固定できる構造となる。
【００４８】
（図１１）
図１１は、第一または第二の実施形態に係る精算機α、β、γを、精算機・管理サーバが多数管理する場合を概念的に示している。
第一または第二の実施形態に係る精算機α、β、γには、精算機・管理サーバとのデータ通信が可能であるようにしてある。
精算機・管理サーバは、各精算機α、β、γに備えられているリーダユニット４０（４０Ａまたは４０Ｂ）を制御したりデジタル変換したりするＯＣＲソフトウェアをアップデートするような場合、データ通信網を用いて一括で実行することができる。
また、各精算機α、β、γの精算に関するデータを吸い上げることによって、駐車場の管理、車両の管理などに用いることができる。
【００４９】
（図１２）
図１２は、従来の自動販売機等（精算機、発券機なども含む）およびそれに内蔵される紙幣投入機３９を、簡易化した縦断面図として描いたものである。
図１２（ａ）に示すように、自動販売機等における正面パネル１１に対して、紙幣投入機３９の投入口３２を、正面パネル１１がなす面と面一となるように、紙幣投入機３９を配置して固定している。
【００５０】
図１２（ｂ）に示すように、破壊行為をなそうとする者は、投入口３２へバール５０を差し込み、バール５０を押し下げるか、左右へ動かすことで、紙幣投入機３９の正面パネル１１側を破損させ、紙幣投入機３９内の紙幣を奪う。
この図では、紙幣投入機３９を例示したが、コイン投入機でも、ほぼ同じである。
【００５１】
（図１３）
図１３は、図７に示した精算機およびそれに内蔵される紙幣出し入れ機３０を、簡易化した縦断面図として描いたものである。
正面パネル１１に対して内側へ凹んだ凹部を、奥行き部３３および正面パネル３１を一体とした部材（凹部形成部材）で形成している。この凹部形成部材には、紙幣出し入れ機３０の投入口３２の位置に合わせた投入口を設けている。
【００５２】
前述の凹部形成部材は、厚めの金属板を折り曲げるなどで形成することで、破壊行為に強い部材としている。
図１３（ｂ）に示すように、破壊行為をなそうとする者は、投入口３２へバール５０を差し込んでも、バール５０を回動させられる角度が制限されるため、凹部形成部材の丈夫さと相まって、破損しにくい。
【００５３】
図示するように、前述の凹部形成部材を振動させる振動発生機６０を備えている。この振動発生機６０は、定期的に振動を発生させることによって、投入項３２付近に溜まる塵や埃を落としたり、雨などを原因とする水滴を投入項３２から遠ざけたりする。図１１に示す管理サーバからの命令によって振動発生機６０を作動させることとしてもよい。
【００５４】
凹部形成部材に圧力センサまたはひずみセンサなどを組み込んでおき、破損させようという行為を検知した場合にも振動を発生させることとしても良い。破損させようという行為を未然に防止することに寄与する。この場合、別途スピーカを設けておき、警告を音声にて流すと、より効果的である。
防犯カメラを別途備え、破損させようという行為を撮影することとすれば、より好ましい。その撮影データは、図１１のようなネットワークを介して、管理サーバが受信、蓄積することとすれば、より好ましい。
【００５５】
なお、図１３（ａ）においては、紙幣出し入れ機３０と同様、コイン投入機２０と精算機との関係にも採用している旨を示すため、紙幣出し入れ機３０に対応してコイン投入機２０をカッコ書きで加えている。同様に、正面パネル３１に対しては正面パネル２１、奥行き部３３に対しては奥行き部２３を、それぞれカッコ書きで加えている。
また、図１３に示した構造は、精算機のみならず、自動販売機、発券機などにも採用できることは、述べるまでもない。
【００５６】
（図１４）
図１４では、図１３にて示した凹部形成部材を用いたものの、紙幣出し入れ機３０における投入口３２を、正面パネル１１と面一としつつ、破壊行為に強い自動販売機等（精算機、発券機なども含む）とした実施形態を示す。
この実施形態では、図１４（ａ）に示すように、紙幣出し入れ機３０を凹部形成部材が形成する凹部へ、その投入口３２が突出するように位置させる。
また、凹部形成部材が形成する凹部の内径寸法を外形寸法とする断面コ字形（直方体の一面が無い五面体）の凹部対応カバー部材３５を用意する。この凹部対応カバー部材３５もまた、凹部形成部材と同様、厚めの金属板を折り曲げるなどで形成することで、破壊行為に強い部材としている。
【００５７】
図１４（ｂ）に示すように、凹部対応カバー部材３５は、凹部形成部材が形成する凹部へ突出させた紙幣出し入れ機３０を囲うように嵌め込んで固定される。凹部対応カバー部材３５には、紙幣出し入れ機３０の投入口３２に対応した位置に貫通孔である投入口３３Ａを備えており、その投入口３３Ａは紙幣出し入れ機３０の投入口３２と連通する。
【００５８】
この実施形態は、厚めの金属板を折り曲げるなどで形成された凹部形成部材および凹部対応カバー部材３５を備えており、破壊行為に強い。図１６（ａ）に示すように、バール５０を用いた破壊行為に対して、凹部対応カバー部材３５が抗するとともに、凹部対応カバー部材３５が変形しようとする外力に対して凹部形成部材が抗するからである。
【００５９】
（図１５）
図１５には、図１４にて示したような凹部対応カバー部材３５を用いつつ、図１３にて示した凹部形成部材が形成する凹部がもたらす様々な効果（屋外に設置した場合に投入口３２が濡れにくいなど）をも享受できる実施形態を示す。  図示するように、前述の凹部形成部材を振動させる振動発生機６０を備えている。この振動発生機６０は、図１３と同趣旨のものであり、詳細な説明を省略する。
図１５に用いる凹部対応カバー部材３５は、図１４に示したものと深さ寸法（図中の横方向の寸法）を短くしている。同時に、紙幣出し入れ機３０の凹部への突出寸法も小さくしている。
【００６０】
図１５（ｂ）に示すように、凹部へ少しだけ突出させた紙幣出し入れ機３０を凹部対応カバー部材３５が覆い、凹部形成部材が形成する凹部よりも浅い寸法の凹部が形成される。
この実施形態もまた、破壊行為に強い。図１６（ｂ）に示すように、バール５０を用いた破壊行為に対して、凹部対応カバー部材３５が抗するとともに、凹部対応カバー部材３５が変形しようとする外力に対して凹部形成部材が抗するからである。
【００６１】
（図１６）
図１６には、図１４および１５に示したバリエーションとそれに対する破壊行為の概要を示す。
図１６（ａ）は、図１４に示したバリエーションとそれに対する破壊行為の概要である。凹部形成部材と凹部カバー部材３５とが存在することで投入口３２が守られており、破壊行為によっても破損を免れる確率が高い。
図１６（ｂ）は、図１５に示したバリエーションとそれに対する破壊行為の概要である。凹部形成部材と凹部カバー部材３５の存在に加え、凹部が形成されているので、梃子の原理を使った破壊行為に対して、梃子の原理を使いにくくすることで、破壊行為によっても破損を免れる確率を高めている。
【００６２】
（図１７）
図１７には、凹部形成部材の形状バリエーションを示す斜視図を示す。いずれも、紙幣出し入れ機３０や投入口３２などの図示を省略している。また、凹部対応カバー部材を採用する場合、その凹部対応カバー部材についての図示も省略している。
図１７（ａ）は、凹部の入口を円形とするとともに、凹部の奥へ行くほど凹部が狭まった形状をなしている。
図１７（ｂ）は、凹部の入口が六角形をなしている。
【産業上の利用可能性】
【００６３】
本発明は、サービスや商品の料金の精算機（特に駐車料金精算装置）を製造する製造業、精算機に用いるソフトウェアの開発業、精算機を中央制御する通信サービス業、料金の精算機をレンタルするレンタル業、料金の精算機を代行する代行サービス業などにおいて、利用可能性を有する。
【符号の説明】
【００６４】
１０  ；精算機                  １０Ａ；精算機（押し当てリーダユニット装着）
１０Ｂ；精算機（収納リーダユニット装着）
１０Ｃ；精算機（一般の自動販売機）
１１  ；正面パネル
１２  ；出力パネル              １３  ；チケット排出機
１４  ；コイン返却口
２０  ；コイン投入機            ２１  ；正面板
２２  ；投入口                  ２３  ；奥行き部
３０  ；紙幣出し入れ機          ３１  ；正面板
３２  ；投入口                  ３３  ；奥行き部
３５  ；凹部対応カバー部材      ３５Ａ；投入口（連通孔）
３９  ；紙幣投入機（従来技術）
４０  ；リーダユニット          ４０Ａ；押し当てリーダユニット
４０Ｂ；収納リーダユニット
４１  ；スキャナ装置            ４２  ；透過板
４３  ；指用凹部（右手用）      ４４  ；指用凹部（左手用）
４５  ；収納部材                ４５Ａ；収納空間
４５Ｂ；開口上部                ４５Ｃ；開口下部
４６  ；小サイズ用溝部          ４７  ；大サイズ用溝部
５０  ；バール
６０  ；振動発生器
【図１】
2019040396.tif 000003
【図２】
2019040396.tif 000004
【図３】
2019040396.tif 000005
【図４】
2019040396.tif 000006
【図５】
2019040396.tif 000007
【図６】
2019040396.tif 000008
【図７】
2019040396.tif 000009
【図８】
2019040396.tif 000010
【図９】
2019040396.tif 000011
【図１０】
2019040396.tif 000012
【図１１】
2019040396.tif 000013
【図１２】
2019040396.tif 000014
【図１３】
2019040396.tif 000015
【図１４】
2019040396.tif 000016
【図１５】
2019040396.tif 000017
【図１６】
2019040396.tif 000018
【図１７】
2019040396.tif 000019